(57)【要約】【課題】描画の対象となる表示装置が変わった場合であっても、同じ属性（例えば、線幅、描画色等）の線図を描くことができる描画システムを提供する。【解決手段】描画器の記憶部がＬＵＴ、描画されるべき線図の色等の描画に係る設定データを記憶しており、前記送信部が選択した表示装置に、該設定データを送信する。指示先たる表示装置の受信部が前記設定データを受信すると、該表示装置の描画手段が受信した設定データに基づいて、前記描画の処理を行なう。【選択図】図１５
2014102762.tif 000002
【特許請求の範囲】
【請求項１】
描画の処理によって線図が表示される被描画面を有する複数の表示装置と、該複数の表示装置から選択した表示装置に、前記描画に係る指示を行なう描画器とを含む描画システムにおいて、
前記描画器は、
前記描画に係る設定データを記憶する第１記憶部と、
前記選択した表示装置に、前記設定データを送信する送信部とを備え、
各表示装置は、
前記設定データを受信する受信部と、
受信した設定データに基づいて、前記描画の処理を行なう描画手段とを備えることを特徴とする描画システム。
【請求項２】
前記描画器は、
前記選択した表示装置が他の表示装置に変更されたか否かを判定する判定手段と、
前記選択した表示装置が他の表示装置に変更されたと判定した場合、変更された他の表示装置の受信部に係る識別データを取得する取得手段とを備え、
取得した識別データを用いて、前記送信部が、変更された他の表示装置に、前記第１記憶部に既に記憶されている設定データを送信し、
各表示装置は、
前記既に記憶されている設定データを受信した場合、該既に記憶されている設定データに基づいて描画に係る設定を行なう設定手段を備えることを特徴とする請求項１に記載の描画システム。
【請求項３】
各表示装置は、
前記既に記憶されている設定データを受け付ける受付手段と、
受け付けた受付設定データを前記描画器に送信する受付設定送信部とを備え、
前記描画器は、
前記受付設定データを受信した場合、前記第１記憶部に既に記憶されている設定データを該受付設定データに更新するように構成してあることを特徴とする請求項１又は２に記載の描画システム。
【請求項４】
各表示装置は、
前記描画器からのデータ受信に係る電波強度を測定する電波強度測定部と、
予め特定の電波強度範囲を記憶している第２記憶部と、
前記被描画面への接触を検知して位置指定を受け付けるタッチパネルと、
前記描画の処理の前、複数の位置指定を受け付けた場合、該複数の位置指定に対応する複数箇所の中、最も電波強度が弱い箇所における電波強度が前記電波強度範囲に含まれるように、電波強度を調整する旨指示する指示手段とを備えることを特徴とする請求項１に記載の描画システム。
【請求項５】
各表示装置は、
前記被描画面が矩形であり、
前記複数箇所には、少なくとも前記被描画面の隅部が含まれることを特徴とする請求項４に記載の描画システム。
【請求項６】
各表示装置は、
前記描画の処理中、前記最も電波強度が弱い箇所から所定範囲内に係る位置指定を受け付けた場合、前記電波強度測定部が、該位置指定に対応する箇所での電波強度の測定を行ない、該測定の結果に基づいて、前記指示手段が前記指示を行なうように構成してあることを特徴とする請求項４又は５に記載の描画システム。
【請求項７】
前記描画器は、
電波強度を調整する調整手段を備えており、
前記調整手段が電波強度を上げる際の上げ幅を、電波強度を下げる際の下げ幅より大きくしてあることを特徴とする請求項４から６の何れかに記載の描画システム。
【請求項８】
各表示装置は、
前記被描画面への接触を検知して位置指定を受け付けるタッチパネルと、
位置指定を受け付けるべき箇所を表す図形を前記被描画面に表示する表示手段と、
前記図形に係る箇所での位置指定があったか否かを判定する位置指定判定手段と、
該位置指定判定手段の判定結果に基づいて、前記描画器に自機の受信部に係る識別データの送信を行なう識別データ送信部と
を備えることを特徴とする請求項１に記載の描画システム。
【請求項９】
各表示装置は、
前記位置指定判定手段によって位置指定があったと判定された場合、前記表示手段が他の箇所に前記図形を更に表示し、前記位置指定判定手段が再び前記判定を行なって、位置指定があったと再び判定されたとき、前記識別データ送信部が前記送信を行なうように構成してあることを特徴とする請求項８に記載の描画システム。
【発明の詳細な説明】
【技術分野】
【０００１】
本発明は、描画の処理によって線図が表示される被描画面を有する複数の表示装置と、何れかの表示装置に、前記描画に係る指示を行なう描画器とを含む描画システムに関する。
【背景技術】
【０００２】
近年、例えば、パブリックスペースに設置されるインフォメーションディスプレイ用タッチパネル装置において、対応するペン型入力器の先に感圧センサを搭載し、その圧力値に応じて、描画の線幅、線濃度等を切り替えることで、より直観的な描画ができる描画システムが開示されている。
【０００３】
例えば、特許文献１においては、入力ペンにかかる筆圧値を検出して検出された筆圧値と複数の閾値とを比較することにより、線幅変更処理が指定されている場合、又は線濃度変更処理が指定されている場合、線幅又は線濃度を夫々変更し、実際の描画と同様の感覚で画像入力を行なえる画像入力装置が開示されている。
【先行技術文献】
【特許文献】
【０００４】
【特許文献１】特開平８−８７３７２号公報
【発明の概要】
【発明が解決しようとする課題】
【０００５】
一方、１つの入力ペンを用いて、複数の装置本体に描画を行なう場合が生じえる。上述したように、検出された筆圧値に応じて、線幅、線濃度等の出力値を変更する場合、筆圧値を出力値と関連付たＬＵＴ（特許文献１においては複数の閾値）のようなものが必要である。しかし、複数の装置本体が同じＬＵＴを有しているとは限らないことから、装置本体毎に、異なる属性の線図が描かれる虞がある。
【０００６】
しかしながら、特許文献１の画像入力装置では、入力ペンと装置本体とはケーブルで接続されているので１つの装置本体に対し１つの入力ペンが特定されるため、このような問題を解決できない。
【０００７】
本発明は、斯かる事情に鑑みてなされたものであり、その目的とするところは、前記ＬＵＴ、描画されるべき線図の色等の描画に係る設定データを描画器（入力ペン）が記憶しており、該描画器が記憶している設定データに合わせて表示装置が設定を行なうことにより、描画の対象となる表示装置が変わった場合であっても、同じ属性（例えば、線幅、描画色等）の線図を描くことができる描画システムを提供することにある。
【課題を解決するための手段】
【０００８】
本発明に係る描画システムは、描画の処理によって線図が表示される被描画面を有する複数の表示装置と、該複数の表示装置から選択した表示装置に、前記描画に係る指示を行なう描画器とを含む描画システムにおいて、前記描画器は、前記描画に係る設定データを記憶する第１記憶部と、前記選択した表示装置に、前記設定データを送信する送信部とを備え、各表示装置は、前記設定データを受信する受信部と、受信した設定データに基づいて、前記描画の処理を行なう描画手段とを備えることを特徴とする。
【０００９】
本発明にあっては、前記描画器の第１記憶部が前記描画に係る設定データを記憶しており、前記送信部が、前記選択した表示装置に、該設定データを送信する。前記選択した表示装置の受信部が前記設定データを受信すると、前記選択した表示装置の描画手段が受信した設定データに基づいて、前記描画の処理を行なう。
【００１０】
本発明に係る描画システムは、前記描画器は、前記選択した表示装置が他の表示装置に変更されたか否かを判定する判定手段と、前記選択した表示装置が他の表示装置に変更されたと判定した場合、変更された他の表示装置の受信部に係る識別データを取得する取得手段とを備え、取得した識別データを用いて、前記送信部が、変更された他の表示装置に、前記第１記憶部に既に記憶されている設定データを送信し、各表示装置は、前記既に記憶されている設定データを受信した場合、該既に記憶されている設定データに基づいて描画に係る設定を行なう設定手段を備えることを特徴とする。
【００１１】
本発明にあっては、前記描画器の判定手段によって、前記選択した表示装置が他の表示装置に変更されたか否か判定され、例えば、前記選択した表示装置が他の表示装置に変更されたと判定された場合、前記取得手段が変更された他の表示装置の受信部に係る識別データを取得し、取得した識別データを用いて、前記送信部が、変更された他の表示装置に前記第１記憶部に既に記憶されている設定データを送信する。変更された他の表示装置では、前記既に記憶されている設定データを受信した場合、受信した既に記憶されている設定データに基づいて、前記設定手段が描画に係る設定を行なう。
【００１２】
本発明に係る描画システムは、各表示装置は、前記既に記憶されている設定データを受け付ける受付手段と、受け付けた受付設定データを前記描画器に送信する受付設定送信部とを備え、前記描画器は、前記受付設定データを受信した場合、前記第１記憶部に既に記憶されている設定データを該受付設定データに更新するように構成してあることを特徴とする。
【００１３】
本発明にあっては、各表示装置において、前記受付手段が前記既に記憶されている設定データを受け付けた場合、受け付けた受付設定データを前記受付設定送信部が前記描画器に送信する。この際、前記描画器は、前記受付設定データを受信し、前記第１記憶部に既に記憶されている設定データを該受付設定データに更新する。
【００１４】
本発明に係る描画システムは、各表示装置は、前記描画器からのデータ受信に係る電波強度を測定する電波強度測定部と、予め特定の電波強度範囲を記憶している第２記憶部と、前記被描画面への接触を検知して位置指定を受け付けるタッチパネルと、前記描画の処理の前、複数の位置指定を受け付けた場合、該複数の位置指定に対応する複数箇所の中、最も電波強度が弱い箇所における電波強度が前記電波強度範囲に含まれるように、電波強度を調整する旨指示する指示手段とを備えることを特徴とする。
【００１５】
本発明にあっては、前記描画の処理の前、前記タッチパネルが複数の位置指定を受け付けた場合、前記電波強度測定部が電波強度の測定を行ない、前記指示手段が、前記複数の位置指定に対応する複数箇所の中、最も電波強度が弱い箇所における電波強度が前記電波強度範囲に含まれるように、電波強度を調整するよう、前記描画器に指示する。
【００１６】
本発明に係る描画システムは、各表示装置は、前記被描画面が矩形であり、前記複数箇所には、少なくとも前記被描画面の隅部が含まれることを特徴とする。
【００１７】
本発明にあっては、前記複数箇所には、少なくとも前記被描画面の隅部が含まれており、前記指示手段は、該複数箇所での前記電波強度測定部の測定結果に基づき、前記指示を行なう。
【００１８】
本発明に係る描画システムは、各表示装置は、前記描画の処理中、前記最も電波強度が弱い箇所から所定範囲内に係る位置指定を受け付けた場合、前記電波強度測定部が、該位置指定に対応する箇所での電波強度の測定を行ない、該測定の結果に基づいて、前記指示手段が前記指示を行なうように構成してあることを特徴とする。
【００１９】
本発明にあっては、前記描画の処理中、前記最も電波強度が弱い箇所から所定範囲内に係る箇所にて前記タッチパネルが位置指定を受け付けた場合、前記電波強度測定部が、該位置指定に対応する箇所での電波強度の測定を行ない、該測定の結果に基づいて、前記指示手段が前記描画器に前記指示を行なう。
【００２０】
本発明に係る描画システムは、前記描画器は、電波強度を調整する調整手段を備えており、前記調整手段が電波強度を上げる際の上げ幅を、電波強度を下げる際の下げ幅より大きくしてあることを特徴とする。
【００２１】
本発明にあっては、前記調整手段は、電波強度を上げる際の上げ幅を、電波強度を下げる際の下げ幅より大きくして、前記表示装置の指示手段からの指示に応じて、電波強度を調整する。
【００２２】
本発明に係る描画システムは、各表示装置は、前記被描画面への接触を検知して位置指定を受け付けるタッチパネルと、位置指定を受け付けるべき箇所を表す図形を前記被描画面に表示する表示手段と、前記図形に係る箇所での位置指定があったか否かを判定する位置指定判定手段と、該位置指定判定手段の判定結果に基づいて、前記描画器に自機の受信部に係る識別データの送信を行なう識別データ送信部とを備えることを特徴とする。
【００２３】
本発明にあっては、前記表示手段が前記図形を前記被描画面に表示した場合であって、前記位置指定判定手段によって、該図形に係る箇所での位置指定があったと判定された場合、前記識別データ送信部は、前記位置指定に係る描画器に、自機の受信部に係る識別データの送信を行なう。
【００２４】
本発明に係る描画システムは、各表示装置は、前記位置指定判定手段によって位置指定があったと判定された場合、前記表示手段が他の箇所に前記図形を更に表示し、前記位置指定判定手段が再び前記判定を行なって、位置指定があったと再び判定されたとき、前記識別データ送信部が前記送信を行なうように構成してあることを特徴とする。
【００２５】
本発明にあっては、前記表示手段が前記図形を前記被描画面に表示し、前記位置指定判定手段によって、該図形に係る箇所での位置指定があったと判定された場合、前記表示手段は他の箇所に前記図形を更に表示し、前記位置指定判定手段が前記他の箇所での位置指定があったと再び判定したとき、前記識別データ送信部が前記送信を行なう。
【発明の効果】
【００２６】
本発明によれば、前記描画器に記憶されている設定データに合わせて前記表示装置が設定を行なうので、描画の対象となる表示装置が変わった場合であっても、同じ属性（例えば、線幅、描画色等）の線図を描くことができる。
【図面の簡単な説明】
【００２７】
【図１】本発明の実施の形態１に係る描画システムを概念的に表示した概念図である。
【図２】本発明の実施の形態１に係るペン型入力器の要部構成を示す機能ブロック図である。
【図３】実施の形態１に係るペン型入力器における、記憶部の筆圧変換テーブルの一例を示す例示図である。
【図４】本発明の実施の形態１に係るペン型入力器において、電子ホワイトボードに送信する送信データのフォーマットの一例を示す例示図である。
【図５】本発明の実施の形態１に係るペン型入力器において、電子ホワイトボードに送信する送信データのフォーマットの他例を示す例示図である。
【図６】本発明の実施の形態１に係る電子ホワイトボードの要部構成を示す機能ブロック図である。
【図７】本発明の実施の形態１に係る電子ホワイトボードのタッチパネル部における、制御部の要部構成を示す機能ブロック図である。
【図８】本発明の実施の形態１において、ペン型入力器をマウスとして使用する際、ペン型入力器から電子ホワイトボードに送信する送信データのフォーマットの一例を示す例示図である。
【図９】本発明の実施の形態１において、ペン型入力器をディジタイザとして使用する際、ペン型入力器から電子ホワイトボードに送信する送信データのフォーマットの一例を示す例示図である。
【図１０】本発明の実施の形態１において、調整指示部によって行なわれる電波強度の調整について説明する説明図である。
【図１１】本発明の実施の形態１において、ユーザが描画指示を施す対象となる装置を決定する過程を説明する説明図である。
【図１２】本発明の実施の形態１に係る電子ホワイトボードのタッチパネル部における、光の走査の処理を説明する機能ブロック図である。
【図１３】本発明の実施の形態１の電子ホワイトボードにおける、走査及び遮光物との接触位置の検出を説明する説明図である。
【図１４】本発明の実施の形態１において、ペン型入力器が電子ホワイトボードに対して行なう描画指示を説明するフローチャートである。
【図１５】本発明の実施の形態１に係る描画システムにおける、ペン型入力器の使用を説明する説明図である。
【図１６】本発明の実施の形態２に係るペン型入力器の要部構成を示す機能ブロック図である。
【図１７】本発明の実施の形態２に係る電子ホワイトボードの要部構成を示す機能ブロック図である。
【発明を実施するための形態】
【００２８】
以下に、本発明の実施の形態に係る描画システムにおける、描画器及び表示装置を、ペン型入力器と、該ペン型入力器を備えたタッチパネル装置とに夫々適用した場合を例として、図面に基づいて詳述する。また、タッチパネル装置としては、いわゆる電子ホワイトボードを例にあげて説明する。
【００２９】
（実施の形態１）
図１は本発明の実施の形態１に係る描画システムを概念的に表示した概念図である。本発明の実施の形態１に係る描画システムは、複数の電子ホワイトボード１００、３００及びペン型入力器２００を有している。本発明に係る描画システムにおいては、ペン型入力器２００からの描画に係る指示（以下、描画指示という）に応じて、電子ホワイトボード１００、３００にて描画の処理が行なわれる。また、ペン型入力器２００が、電子ホワイトボード１００及び電子ホワイトボード３００の何れに対しても、同一の属性を有する線図の描画ができるように構成されている。
【００３０】
電子ホワイトボード１００及び電子ホワイトボード３００の構成は同一であり、以下においては、電子ホワイトボード１００及びペン型入力器２００の構成についてのみ説明する。
【００３１】
電子ホワイトボード１００は、描画の処理によって線図が表示される被描画面１０１を有する表示部１００Ａと、後述する方法によって、ペン型入力器２００の位置を検出し、被描画面１０１上の所定位置の位置指定を受け付けるタッチパネル部１００Ｂとを備えている。
【００３２】
本発明の実施の形態１のタッチパネル部１００Ｂは、赤外線を発光する発光素子及び赤外線を受光する受光素子を備え、遮光物の位置を検出する、いわゆる赤外線遮断式タッチパネルとなっている。
【００３３】
図２は本発明の実施の形態１に係るペン型入力器２００の要部構成を示す機能ブロック図である。ペン型入力器２００は、タッチパネル部１００Ｂと通信可能に構成されており、タッチパネル部１００Ｂに後述する設定データ及び入力器情報を送信する。
【００３４】
また、ペン型入力器２００は、ユーザによる描画の際、表示部１００Ａの被描画面１０１と接触する接触部２０１と、前記入力器情報の生成に係る各部分を収容するペン型のケーシング２０２とを備えている。接触部２０１は柱状をなしており、ケーシング２０２の軸心方向（又は長手方向）に沿う移動ができるように、ケーシング２０２によって保持されている。
【００３５】
更に、ペン型入力器２００は、筆圧検知部２１０と、制御部２２０と、記憶部２３０と、姿勢検知部２４０と、通信部２５０とを備えており、これらはケーシング２０２内に収容されている。
【００３６】
筆圧検知部２１０は、ユーザがペン型入力器２００を握って表示部１００Ａの被描画面１０１に描画を行なう際、接触部２０１の先端と、被描画面１０１との接触による接触圧を測定する。換言すれば、該接触の際、接触部２０１にかかる圧力（以下、筆圧という）を測定する。例えば、筆圧検知部２１０はいわゆる歪みセンサを用いて前記筆圧を検知し、該筆圧によって、描画されるべき線の太さ等が変更される。
【００３７】
姿勢検知部２４０は、いわゆる傾きセンサ又は３軸加速度センサを有しており、自器（ペン型入力器２００）の姿勢を検知する。より詳しくは、姿勢検知部２４０は、鉛直軸、すなわち、重力方向の軸に対するペン型入力器２００の軸心の傾き、又は、自器が移動しているか否かを検知する。
【００３８】
記憶部２３０は、例えば、フラッシュメモリ、ＥＥＰＲＯＭ（商標登録）、ＨＤＤ、ＭＲＡＭ（磁気抵抗メモリ）、ＦｅＲＡＭ（強誘電体メモリ）、又は、ＯＵＭ等の不揮発性の記憶媒体により構成されている。また、記憶部２３０は、筆圧検知部２１０による検知結果に対してＬＵＴ処理にて補正を行なう際に用いられる筆圧変換テーブル、ペン型入力器２００の識別ＩＤ（例えば、ＭＡＣ（Media Access Control）アドレス）等を記憶している。
【００３９】
図３は実施の形態１に係るペン型入力器２００における、記憶部２３０の筆圧変換テーブルの一例を示す例示図である。実施の形態１では、データ送信量削減のため、（0，0）、（PI(0)，PO(0)）、（PI(1)，PO(1)）、（PI(2)，PO(2)）、（4095，PO(3)）を指定した５点補間での補正とする（入力値は１２ビット）。
【００４０】
制御部２２０は、姿勢検知部２４０又は筆圧検知部２１０によって検知された検知結果を取得し、通信部２５０を介して、電子ホワイトボード１００、３００に送信する。また、制御部２２０は、判定部２２１、取得部２２２及び調整部２２３を備えている。
【００４１】
判定部２２１は、描画指示を施す対象となる装置（選択した表示装置）が変更されたか否かを判定する。実施の形態１においては、ペン型入力器２００が電子ホワイトボード１００又は電子ホワイトボード３００に対して描画指示を行なうので、描画指示を施す対象が電子ホワイトボード１００から電子ホワイトボード３００に変わったのか、電子ホワイトボード３００から電子ホワイトボード１００に変わったのか判定する。
【００４２】
前記描画指示を何れかの電子ホワイトボードに対して行なう場合、現に通信が確立されている電子ホワイトボード側（以下、受信側）の識別ＩＤが記憶部２３０に記憶される。従って、判定部２２１は、応答した受信側の識別ＩＤが、既に記憶部２３０に記憶されている受信側識別ＩＤと一致するか否かに基づいて前記判定を行なう。
【００４３】
取得部２２２は、上述したように、判定部２２１によって、描画指示を施す対象となる装置が変更されたと判定された場合、斯かる際において、受信側からの応答によって変更後の受信側の識別ＩＤを取得する。また、取得部２２２は、既に記憶部２３０に記憶されている受信側の識別ＩＤを、変更後の受信側の識別ＩＤに変更する。
【００４４】
また、これに限るものでなく、ユーザが、ペン型入力器２００を使用して描画指示を行なう対象の電子ホワイトボードを変更するタイミングで、適宜操作を行なうことにより、変更すべき電子ホワイトボードから自器の識別ＩＤをペン型入力器２００に送信するように構成しても良い。具体的には、ユーザの操作によって、自器が対応できるペン型入力器の一覧が変更すべき電子ホワイトボードに表示され、ユーザが何れかのペン型入力器を選択した場合、該変更すべき電子ホワイトボードが自器の識別ＩＤを選択されたペン型入力器に送信する。
【００４５】
調整部２２３は、後述する、電子ホワイトボード１００の調整指示部１８からの指示に応じて、通信部２５０と、電子ホワイトボード１００との通信における、電波強度を調整する。
【００４６】
通信部２５０は、制御部２２０からの指示に応じて、前記設定データ及び入力器情報を例えば、電子ホワイトボード１００の後述の通信部５に送信する。通信部２５０は、例えば、Ｂｌｕｅｔｏｏｔｈ（商標登録）、ＺｉｇＢｅｅ（商標登録）等の無線通信を行なうように構成されている。
【００４７】
ここで、設定データは、姿勢検知部２４０又は筆圧検知部２１０によって検知された検知結果に対する補正に用いられる前記筆圧変換テーブル、斯かる描画指示によって描画されるべき線図の色の設定値等を含む。
【００４８】
また、入力器情報は、筆圧検知部２１０によって検知された検知結果（筆圧情報）、姿勢検知部２４０によって検知された検知結果（動き情報）、ペン型入力器２００に取り付けられたタクトスイッチ（図示せず）からのスイッチＯＮ／ＯＦＦ情報等である。
【００４９】
図４は本発明の実施の形態１に係るペン型入力器２００において、電子ホワイトボード１００に送信する送信データのフォーマットの一例を示す例示図であり、図５は本発明の実施の形態１に係るペン型入力器２００において、電子ホワイトボード１００に送信する送信データのフォーマットの他例を示す例示図である。図４及び図５においては、説明の便宜上、前記受信側の識別ＩＤとしてＭＡＣアドレスを用いる場合を例にしている。
【００５０】
図４に示すように、送信データ１〜３において、拡張部分には送信側ＭＡＣアドレスを割り当て、基本部分には、自器のＭＡＣアドレス（送信側ＭＡＣアドレス）と共に、前記設定データ又は入力器情報が割り当てられている。
【００５１】
また、これに限るものでなく、図５に示すように、送信データ１Ａ〜３Ａにおいて、基本部分に電子ホワイトボード１００の通信部５のＩＤ（受信側通信部ＩＤ）をさらに付加するように構成しても良い。これによって、電子ホワイトボード１００は通信部５のＩＤが、前記送信データ１Ａ〜３Ａの受信側通信部ＩＤと一致する場合のみ通信を可能とすることができる。
【００５２】
図６は本発明の実施の形態１に係る電子ホワイトボード１００の要部構成を示す機能ブロック図である。
【００５３】
表示部１００Ａは、例えばＬＣＤ又はＥＬ（Electroluminescence）パネル等の被描画面１０１（被描画面）を備え、ペン型入力器２００から送信される、前記設定データ及び入力器情報に基づいて文字、線図が被描画面１０１に表示される。
【００５４】
タッチパネル部１００Ｂは制御部１と、ＲＯＭ２と、ＲＡＭ３、通信部５、電波強度測定部６と、記憶部７と、走査部９とを備えており、タッチパネル部１００Ｂは通信部５を介してペン型入力器２００から前記設定データ及び入力器情報等の受信を行う。
【００５５】
タッチパネル部１００Ｂの制御部１は、走査部９による走査結果に係る座標に基づき、文字、線図等の描画を表示部１００Ａに指示し、表示部１００Ａは該指示、及びペン型入力器２００からの設定データ等に応じて被描画面１０１に文字、線図等を表示する。
【００５６】
ＲＯＭ２には制御プログラムが予め格納されており、ＲＡＭ３はデータを一時的に記憶し、記憶順、記憶位置等に関係なく読み出すことが可能である。また、ＲＡＭ３は、例えば、ＲＯＭ２から読み出されたプログラム、該プログラムを実行することにより発生する各種データ等を記憶する。
【００５７】
制御部１は、ＲＯＭ２に予め格納されている制御プログラムをＲＡＭ３上にロードして実行することによって、バスを介して上述した各種ハードウェアの制御を行い、タッチパネル部１００Ｂを機能させる。
【００５８】
通信部５はペン型入力器２００から前記設定データ、入力器情報等を受信する。通信部５はペン型入力器２００の通信部２５０に対応して、例えば、Ｂｌｕｅｔｏｏｔｈ（商標登録）、ＺｉｇＢｅｅ（商標登録）等の無線通信を行なうように構成されている。
【００５９】
電波強度測定部６は、ペン型入力器２００と通信部５との間の通信における電波の強度を測定する。例えば、通信部５がペン型入力器２００から前記設定データを受信したとき、電波強度測定部６は電波強度測定を行なう。電波強度測定部６による測定結果は、ＲＳＳＩ（Received Signal Strength Indication  又は  Received Signal Strength Indicator）値にて得られる。
【００６０】
記憶部７は、例えば、フラッシュメモリ、ＥＥＰＲＯＭ（商標登録）、ＨＤＤ、ＭＲＡＭ（磁気抵抗メモリ）、ＦｅＲＡＭ（強誘電体メモリ）、又は、ＯＵＭ等の不揮発性の記憶媒体により構成されている。また、記憶部７は、前記設定データを受信して記録し、後述する最小電波強度範囲を記憶している。
【００６１】
図７は本発明の実施の形態１に係る電子ホワイトボード１００のタッチパネル部１００Ｂにおける、制御部１の要部構成を示す機能ブロック図である。制御部１は、ＣＰＵ１１と、座標検出部１２と、遮光物管理部１３と、情報統合部１４と、情報設定部１５と、描画部１６と、設定受付部１７と、調整指示部１８と、表示制御部１９と、位置指定判定部２０とを備えている。
【００６２】
座標検出部１２は、被描画面１０１上における、遮光物（例えば、ペン型入力器２００）の座標を検出する。詳しくは、タッチパネル部１００Ｂによって、表示部１００Ａの被描画面１０１上の光遮断が検出された場合に送られる、後述する強度信号に基づき、斯かる遮光物の座標を検出する。
【００６３】
遮光物管理部１３は、走査部９の走査によって検出される遮光物の位置（座標）を管理する。例えば、遮光物管理部１３は、斯かる遮光物が移動する場合、遮光物の移動跡を表す座標履歴を記憶する。
【００６４】
情報統合部１４は、座標検出部１２により検出された座標と、例えば、通信部５を介してペン型入力器２００から受信した設定データ、入力器情報等を統合して、描画に係る描画データの生成を行う。
【００６５】
出力形態としては、マウス、又はディジタイザの２通りが存在する。例えば、被描画面１０１にマウス、ディジタイザの２通りの方法を表示し、ユーザに選択を促すことにより、ペン型入力器２００をマウス、又はディジタイザとして使用することができるようになる。被描画面１０１への選択肢の表示は、例えば、リモートコントローラ（図示せず）を用いて行う。
【００６６】
図８は本発明の実施の形態１において、ペン型入力器２００をマウスとして使用する際、ペン型入力器２００から電子ホワイトボード１００に送信する送信データのフォーマットの一例を示す例示図である。
【００６７】
例えば、ペン型入力器２００にマウスの機能を持たせる場合、ユーザによってタッチされた被描画面１０１上の座標（図８において、水平方向の移動量、垂直方向の移動量）及びクリック情報（button1〜3に対応する情報。１：クリック、０：クリックせず）によりなるフォーマットを生成する。この送信データを電子ホワイトボード１００の制御部１に送信すると、制御部１は描画アプリケーションを用いて、受信したフォーマット情報を参照して、被描画面１０１に描画する。
【００６８】
図９は本発明の実施の形態１において、ペン型入力器２００をディジタイザとして使用する際、ペン型入力器２００から電子ホワイトボード１００に送信する送信データのフォーマットの一例を示す例示図である。
【００６９】
ペン型入力器２００にディジタイザの機能を持たせる場合、図８にて示したような、マウスに対応する情報に加えて、被描画面１０１とタッチ（接触）した時の筆圧値（図９は１２ビットで表した例）も有する。
【００７０】
電子ホワイトボード１００の制御部１（描画アプリケーション）側では、筆圧値を取得し、例えば、取得された筆圧値に応じて描画される線図を変化させる。例えば、該筆圧値が高いほど描画される線図の幅を太くし、低いほど細くする。また、該筆圧値が高いほど描画される線図の色を濃くし、低いほど薄くする。
【００７１】
情報設定部１５は、例えば、前記ＭＡＣアドレスのようにペン型入力器２００を特定できるもの（識別ＩＤ）と関連付けて、前記筆圧変換テーブル、斯かる描画指示によって描画されるべき線図の色の設定値等を設定する。
【００７２】
より詳しくは、被描画面１０１を介して、ユーザから前記筆圧変換テーブル、描画されるべき線図の色等の設定データに係る設定を受け付けた場合、情報設定部１５は受け付けた設定データを、通信部５を介してペン型入力器２００に送信する。ペン型入力器２００では受信した設定データを記憶部２３０に記憶し、既に記憶されている設定データを更新する。
【００７３】
また、特定の場合、情報設定部１５は、通信部５を介して、ペン型入力器２００から前記設定データを受信し、記憶部７にすでに記憶されている設定データを、受信した設定データに変更する。
【００７４】
描画部１６は、情報統合部１４によって生成された描画データを用いて、被描画面１０１に表示する画像を生成し、生成した画像を被描画面１０１へ画像信号として出力することによって、描画を行う。
【００７５】
設定受付部１７は、ユーザから、前記設定データ、すなわち、前記筆圧変換テーブル、斯かる描画指示によって描画されるべき線図の色の設定値等の設定を受け付ける。例えば、ユーザがリモートコントローラ（図示せず）を適宜操作して、被描画面１０１に斯かる設定を受け付ける受付画面を表示させ、該受付画面を介して、前記筆圧変換テーブル、斯かる描画指示によって描画されるべき線図の色の設定値等の設定を受け付ける。
【００７６】
調整指示部１８は、電波強度測定部６による測定結果に基づき、記憶部７に記憶されている最小電波強度範囲内になるように、ペン型入力器２００（通信部２５０）と通信部５との通信における電波強度を調整する旨ペン型入力器２００の調整部２２３に指示する。最小電波強度範囲はユーザによって定められた電波強度範囲であり、例えば、-８０dbm〜-８５dbmの範囲である。
【００７７】
例えば、描画の処理が行なわれる前、座標検出部１２が被描画面１０１上の複数箇所の位置指定を受け付けて、斯かる箇所の座標を検出した場合、又は、通信部５がペン型入力器２００から前記設定データ又は入力器情報を受信する間、電波強度測定部６が電波強度測定を行ない、測定結果に基づいて、上述したように、調整指示部１８が電波強度の調整を行なうよう、ペン型入力器２００に指示する。以下、実施の形態１において、調整指示部１８によって行なわれる電波強度の調整について詳しく説明する。
【００７８】
図１０は本発明の実施の形態１において、調整指示部１８によって行なわれる電波強度の調整について説明する説明図である。
【００７９】
ペン型入力器２００（通信部２５０）と、電子ホワイトボード１００（通信部５）とがペアリングするタイミングで、ユーザが以下のような手順で電波強度のキャリブレーションを行なう。図１０に示すように、Ｐ１〜Ｐ４の順に、ユーザがリモートコントローラ（図示せず）を用いてメニューよりキャリブレーションを選択すると、ＣＰＵ１１がキャリブレーションを行う位置を表示する指示を行ない、表示制御部１９が被描画面１０１上にキャリブレーションを行う位置（図１０では「＋」で記載）を表示する。
【００８０】
この際、ユーザがＰ１〜Ｐ４の順番にペン型入力器２００でタッチを行なう。このような順にタッチを行なうので、ユーザの移動量を少なくできる。また、被描画面１０１の４隅の位置にて前記キャリブレーションが行なわれるので、ここでの電波強度に問題がなければ、被描画面１０１上の何れの箇所においても電波状況は問題ないとみなすことができる。
【００８１】
「＋」で表示された位置をユーザがペン型入力器２００でタッチした場合、電波強度測定部６が電波強度の測定を行ない、この際のＰ１〜Ｐ４における電波強度（ＲＳＳＩ値）を取得できる。
【００８２】
続いて、Ｐ１〜Ｐ４で取得した中で最もＲＳＳＩ値が低かった箇所（最も電波強度が弱い箇所）に対して、前記最小電波強度範囲内となるようにキャリブレーションが実施され、斯かるキャリブレーションの結果に基づいて、調整指示部１８が、ペン型入力器２００に、電波強度の調整を行なうよう指示する。
【００８３】
また、描画の処理が行われている間においても、電波強度の調整が行なわれる。以下においては、説明の便宜上、最もＲＳＳＩ値が低かった箇所がＰ４であるものとする。
例えば、ユーザが描画を行なっている途中でも、最もＲＳＳＩ値が低かったＰ４に近い場所（例えば、Ｐ４の周囲２０ｃｍ以内等）を、ペン型入力器２００がタッチした場合には、電波強度測定部６が電波強度の測定を行ない、この際のＰ４における電波強度を取得できる。
【００８４】
この際に測定された電波強度が前記の最小電波強度範囲よりも高い場合、調整指示部１８は、電波強度を低下させるよう、ペン型入力器２００に指示し、ペン型入力器２００の調整部２２３が、前記最小電波強度範囲内となるように電波強度を下げる。斯かる電波強度の調整は、電子ホワイトボード１００及びペン型入力器２００の間でのデータの通信が行われていない時に行なわれる。
【００８５】
また、測定された電波強度が前記の最小電波強度範囲よりも弱い場合、調整指示部１８は、電波強度を向上させるよう、ペン型入力器２００に指示し、ペン型入力器２００の調整部２２３が、前記最小電波強度範囲内となるように電波強度を上げる。
【００８６】
なお、調整部２２３が電波強度を上げる際の上げ幅は、電波強度を下げる際の下げ幅より大きい。例えば、前記上げ幅は１０dbmであり、下げ幅は１dbmである。これは、電波強度を上げる場合は、現時点で通信ができなくなる危険性があり、すぐに復旧させる必要性があるからであり、電波強度を下げる場合は、低下させすぎると無線通信ができなくなる危険性があるためである。
【００８７】
一方、表示制御部１９は、上述したように、位置指定を受け付けるべき箇所を表す図形として「＋」を被描画面１０１に表示する。被描画面１０１に「＋」が表示された場合、ユーザは斯かる箇所をペン型入力器２００にてタッチする。
【００８８】
位置指定判定部２０は、座標検出部１２による検出結果に基づいて、表示制御部１９が被描画面１０１に表示した「＋」の位置がタッチされたが否か、換言すれば、斯かる位置の位置指定があったか否かを判定する。
【００８９】
本発明に係る描画システムにおいては、表示制御部１９が被描画面１０１に「＋」の図形を表示した場合、ユーザはその位置をペン型入力器２００にてタッチすることによって、タッチされた被描画面１０１に係る電子ホワイトボード１００を、描画指示を施す対象となる装置として、決定することができる。以下、描画指示を施す対象となる装置を決定する方法を詳しく説明する。
【００９０】
図１１は本発明の実施の形態１において、ユーザが描画指示を施す対象となる装置を決定する過程を説明する説明図である。以下においては、ユーザが電子ホワイトボード１００を、描画指示を施す対象となる装置として決定するものとする。
【００９１】
まず、表示制御部１９が被描画面１０１に、図１１Ａで示すように、Ｐ１１〜Ｐ１６を示す図形（図中、○）を表示しておく。
【００９２】
ユーザが電子ホワイトボード１００を、描画指示を施す対象となる装置として決定する場合には、図１１Ｂに示すように、Ｐ１１〜Ｐ１６のいずれかをペン型入力器２００を用いてタッチする（図１１Ｂの例では、ユーザがＰ１４をタッチした場合を例に説明している）。
【００９３】
この際、位置指定判定部２０によって、Ｐ１４に係る位置でのタッチ（位置指定）が検出される。Ｐ１４に係る位置でのタッチが検出された場合、表示制御部１９は、図１１Ｃに示すように、Ｐ１４の周辺（Ｐ１４１）であって別の箇所に、再び「○」の図形を表示する。
【００９４】
図１１Ｃに示すように、再び、ユーザがペン型入力器２００を用いてＰ１４１をタッチすることによって、位置指定判定部２０がＰ１４１に係る位置でのタッチ（位置指定）を検出する。この場合は、ＣＰＵ１１が、通信部５を介して、自器（通信部５）のＭＡＣアドレスをペン型入力器２００に送信する。これによって、ペン型入力器２００及び電子ホワイトボード１００は通信が可能となる。
【００９５】
すなわち、通常はペン型入力器２００の記憶部２３０に格納されている、電子ホワイトボードを特定するＭＡＣアドレス（識別ＩＤ）と同じＭＡＣを有する電子ホワイトボードとしか通信できないが、このように、ユーザによるタッチによって描画指示を施す対象となる装置が決定された場合には、記憶部２３０に格納されているＭＡＣアドレスに関わらず、タッチに係る電子ホワイトボード１００を、描画指示を施す対象となる装置とする。尚、図１１Ｃ及び図１１Ｄを繰り返すことにより、その制度を一層高めることができる。
【００９６】
一方、ＣＰＵ１１は、走査部９の発光素子及び受光素子の制御を行なう。
【００９７】
タッチパネル部１００Ｂは、上記したように、赤外線遮断式タッチパネルである。すなわち、ペン型入力器２００の先端が表示部１００Ａの被描画面１０１をタッチする際、光遮断が検出されることによって、斯かる遮光物（ペン型入力器２００）の位置を検出する。すなわち、走査結果、受光素子から得られる信号（強度信号）が制御部１に送出され、これに基づき、座標検出部１２は斯かる遮光物の座標を検出する。このようにして、タッチパネル部１００Ｂは、ユーザから表示部１００Ａ（被描画面１０１）上の位置指定、文字、線画等の入力を受け付ける。
【００９８】
タッチパネル部１００Ｂは、表示部１００Ａの被描画面１０１に沿って赤外線の光（以下、赤外光といいう）を走査する走査部９を備えており、走査部９は、赤外光を照射する複数の発光素子を有する発光部９１と、対応する発光素子からの赤外光を受光する複数の受光素子を有する受光部９２と、制御部１（ＣＰＵ１１）からの発光信号及び受光信号を夫々の発光部９１及び受光部９２に割り当てるアドレスデコーダ９３と、光遮断の検出に用いられる受光部９２からのアナログ信号をデジタル信号に変換するＡ／Ｄコンバータ９４とを更に備えている。
【００９９】
図１２は本発明の実施の形態１に係る電子ホワイトボード１００のタッチパネル部１００Ｂにおける、光の走査の処理を説明する機能ブロック図である。
【０１００】
発光部９１は、図示しないマルチプレクサを有しており、発光素子の夫々は該マルチプレクサに接続されている。また、受光部９２も、図示しないマルチプレクサを有しており、受光素子の夫々は該マルチプレクサに接続されている。更に、発光部９１の各発光素子は、受光部９２の何れか一つ受光素子と対応（対向）するように構成されている。
【０１０１】
制御部１のＣＰＵ１１は、複数の発光素子を発光させるための発光信号をアドレスデコーダ９３Ａへ出力すると共に、複数の受光素子を受光させるための受光信号をアドレスデコーダ９３Ｂへ出力する。アドレスデコーダ９３Ａは、ＣＰＵ１１からの信号に応じて、発光素子の内、発光に係る何れかの発光素子を特定する信号を発光部９１に出力し、またアドレスデコーダ９３Ｂは、ＣＰＵ１１からの信号に応じて、受光素子の内で、前記特定された発光素子に対応する受光素子を特定する信号を受光部９２に出力する。
【０１０２】
このように特定された発光素子は赤外光を発光し、対応する受光素子は赤外光を受光する。この際、該受光素子によって受光した赤外光の強度を電圧値で示す強度信号がＡ／Ｄコンバータ９４に出力される。Ａ／Ｄコンバータ９４は前記強度信号を例えば、８ビットのデジタル信号に変換し、変換後の強度信号を制御部１に出力する。制御部１は、全ての受光素子からの強度信号を取得するために、各受光素子から強度信号を取得する処理を順次繰り返す。
【０１０３】
制御部１のＣＰＵ１１は、各受光素子から取得した強度信号に基づき、該受光素子での受光量を計算する。ＣＰＵ１１は、計算された受光量が予め定められている閾値を超過している場合は、当該受光素子が受光する赤外光の光路は遮断されていないと判定する。また、計算された受光量が、予め定められている閾値以下である場合は、当該受光素子が受光する赤外光の光路が遮断されていると判定する。
【０１０４】
このようなＣＰＵ１１の判定結果に基づき、座標検出部１２はペン型入力器２００と被描画面１０１との接触の位置を検出する。すなわち、座標検出部１２は赤外光の光路が遮断されている受光素子を特定し、特定された受光素子の位置に基づき、表示部１００Ａの被描画面１０１上における、ペン型入力器２００の先端部の位置、すなわち、接触の座標を検出する処理を行う。
【０１０５】
以下に、前記走査及び遮光物との接触位置の検出について詳しく説明する。図１３は本発明の実施の形態１の電子ホワイトボード１００における、走査及び遮光物との接触位置の検出を説明する説明図である。
【０１０６】
表示部１００Ａの被描画面１０１は矩形状であり、被描画面１０１の図面視右側及び下側には、表示部１００Ａの縁に沿って複数の発光素子９１１、９１１、…の列が並設されている。発光素子９１１は、例えば、赤外光を発光する発光ダイオード（ＬＥＤ）である。図中には、各発光素子９１１が発光する赤外光の光路を実線の矢印にて示している。
【０１０７】
右側の複数の発光素子９１１、９１１、…は、夫々の発光素子９１１が発光する赤外光の光路が被描画面１０１に沿って互いに平行をなすように設けられており、下側の発光素子９１１、９１１、…も同様に設けられている。
【０１０８】
すなわち、図１３における左右方向（ｘ軸方向）たる下側の発光素子９１１、９１１、…と、上下方向（ｙ軸方向）たる右側の複数の発光素子９１１、９１１、…とは、その光路が相互直交するように設けられている。
【０１０９】
また、表示部１００Ａの被描画面１０１上であって、発光素子９１１、９１１、…と対向する位置には、受光素子９２１、９２１、…が設けられている。
【０１１０】
すなわち、表示部１００Ａの被描画面１０１の左側及び上側には、縁に沿って複数の受光素子９２１、９２１、…の列が並設されている。受光素子９２１は、赤外光を受光する受光ダイオードである。発光素子９１１、９１１、…からの赤外光は、対向配置された受光素子９２１、９２１、…によって受光されるように構成されている。
【０１１１】
発光素子の場合と同様に、上側の受光素子９２１、９２１、…と、左側の受光素子９２１、９２１、…とは、受光すべき赤外光の光路が相互直交するように設けられている。
【０１１２】
走査部９は、表示部１００Ａの被描画面１０１における、Ｘ軸方向の一端から他端まで、またＹ軸方向の一端から他端まで、１つずつ発光素子９１１を順次発光させていき、表示部１００Ａの被描画面１０１における、ペン型入力器２００との接触位置が上述したように検出される。
【０１１３】
図１４は本発明の実施の形態１において、ペン型入力器２００が電子ホワイトボード１００に対して行なう描画指示を説明するフローチャートである。
【０１１４】
ペン型入力器２００に取り付けられた前記タクトスイッチがＯＮになった場合、姿勢検知部２４０が自器（ペン型入力器２００）の動きを検出し、姿勢検知部２４０の検出結果に基づいて、制御部２２０は自器の動きが検出されたか否かを判定する（ステップＳ１０１）。
【０１１５】
制御部２２０は自器の動きが検出されなかったと判定した場合（ステップＳ１０１：ＮＯ）、自器の動きが検出されるまで斯かる判定を繰り返す。
【０１１６】
また、制御部２２０は自器の動きが検出されたと判定した場合（ステップＳ１０１：ＹＥＳ）、例えば、前記筆圧変換テーブル、斯かる描画指示によって描画されるべき線図の色の設定値（以下、単に色設定値という）等の設定データの同一化を行なう（ステップＳ１０２）。
【０１１７】
より詳しくは、制御部２２０は、記憶部２３０に既に記憶されている前記筆圧変換テーブル及び色設定値等を、通信部２５０を介して電子ホワイトボード１００に送信し、電子ホワイトボード１００の情報設定部１５は受信した前記筆圧変換テーブル及び色設定値等に基づいて、これらと同一になるように、記憶部７における設定を行なう。
【０１１８】
この際、制御部２２０は、姿勢検知部２４０における動きカウントを初期化する（ステップＳ１０３）。
【０１１９】
次いで、判定部２２１は、描画指示を施す対象となる装置が変更されたか否かを判定する（ステップＳ１０４）。判定部２２１による斯かる判定については既に説明しており、ここでは詳しい説明を省略する。
【０１２０】
判定部２２１が、描画指示を施す対象となる装置が変更されたと判定した場合（ステップＳ１０４：ＹＥＳ）、例えば、描画指示を施す対象となる装置が、電子ホワイトボード１００から電子ホワイトボード３００に変わった場合、取得部２２２は変更後の電子ホワイトボード３００から、電子ホワイトボード３００の通信部のＭＡＣアドレス（識別ＩＤ）を取得する。取得部２２２による識別ＩＤの取得方法については、既に説明しており、詳しい説明を省略する。
【０１２１】
次いで、制御部２２０は、取得部２２２によって取得されたＭＡＣアドレスを用いて、電子ホワイトボード３００と前記筆圧変換テーブル及び色設定値等の同一化を行なう（ステップＳ１０５）。斯かる同一化については既に説明しており、詳しい説明を省略する。以降、処理はステップＳ１０４に戻る。
【０１２２】
一方、判定部２２１が、描画指示を施す対象となる装置が変更されていないと判定した場合（ステップＳ１０４：ＮＯ）、制御部２２０は電子ホワイトボード１００から設定データを受信したか否かを判定する（ステップＳ１０６）。
【０１２３】
すなわち、ユーザが電子ホワイトボード１００を適宜操作することによって、前記筆圧変換テーブル及び色設定値等を変更した場合が想定される。このような場合、変更された筆圧変換テーブル及び色設定値等の設定データが電子ホワイトボード１００からペン型入力器２００に送信されるので、制御部２２０は、通信部２５０を監視することにより、変更された設定データが受信されたか否かを判定する。
【０１２４】
制御部２２０が設定データを受信したと判定した場合（ステップＳ１０６：ＹＥＳ）、情報設定部１５は、受信された筆圧変換テーブル及び色設定値等（設定データ）と同一になるように、記憶部２３０に記憶されている設定データを更新する（ステップＳ１０７）。以降、処理はステップＳ１０４に戻る。
【０１２５】
一方、制御部２２０は電子ホワイトボード１００から設定データを受信していないと判定した場合（ステップＳ１０６：ＮＯ）、電子ホワイトボード１００に送信すべきデータ（例えば、入力器情報）があるか否か判定する（ステップＳ１０８）。
【０１２６】
制御部２２０は、電子ホワイトボード１００に送信すべきデータがあると判定した場合（ステップＳ１０８：ＹＥＳ）、斯かるデータを通信部２５０を介して電子ホワイトボード１００に送信する（ステップＳ１０９）。以降、処理はステップＳ１０４に戻る。
【０１２７】
この際、電子ホワイトボード１００は、該データを受信して適宜描画の処理を行ない、被描画面１０１に線図が表示される。
【０１２８】
次いで、制御部２２０は、電子ホワイトボード１００に送信すべきデータがないと判定した場合（ステップＳ１０８：ＮＯ）、姿勢検知部２４０の検出結果に基づいて、自器の動きが検出されたか否かを判定する（ステップＳ１１０）。
【０１２９】
制御部２２０は、自器の動きが検出されたと判定した場合（ステップＳ１１０：ＹＥＳ）、姿勢検知部２４０における動きカウントを初期化する（ステップＳ１１１）。一方、制御部２２０は、自器の動きが検出されなかったと判定した場合（ステップＳ１１０：ＮＯ）、姿勢検知部２４０における動きカウントのインクリメントを行なう（ステップＳ１１２）。
【０１３０】
次いで、制御部２２０は前記動きカウントが所定の閾値より大きいか否かを判定する（ステップＳ１１３）。制御部２２０によって、前記動きカウントが所定の閾値より大きいと判定された場合（ステップＳ１１３：ＹＥＳ）、処理はステップＳ１０１に戻り、例えば、ペン型入力器２００はスリープモードに遷移する。
【０１３１】
また、制御部２２０は、前記動きカウントが所定の閾値より大きくないと判定した場合（ステップＳ１１３：ＮＯ）、計時部（図示せず）に計時の開始を指示する。次いで、制御部２２０は、前記計時部の計時結果に基づいて、計時開始から所定時間が経過したか否かを判定する（ステップＳ１１４）。
【０１３２】
制御部２２０によって、所定時間が経過したと判定された場合（ステップＳ１１４：ＹＥＳ）、処理はステップＳ１０４に戻る。
【０１３３】
また、制御部２２０は、所定時間が経過していないと判定した場合（ステップＳ１１４：ＮＯ）、前記タクトスイッチを監視することにより、スイッチオフであるか否かを判定する（ステップＳ１１５）。
【０１３４】
制御部２２０によって、スイッチオフでないと判定された場合（ステップＳ１１５：ＮＯ）、処理はステップＳ１１４に戻る。一方、制御部２２０によって、スイッチオフであると判定された場合（ステップＳ１１５：ＹＥＳ）、処理は終了する。
【０１３５】
上述のようにペン型入力器２００にタクトスイッチが設けられていない形態においては、ステップＳ１１４において、所定時間が経過していないと判定した場合、処理は所定時間が経過するまで待機する。ペン型入力機器２００の使用が終了すると、ステップＳ１０４、ステップＳ１０６、ステップＳ１０８、ステップＳ１１０の処理はＮＯとなり、動きカウントがインクリメントされ、動きカウントが閾値より大きくなるとスリープモード（省エネモード）で待機する。
【０１３６】
図１５は本発明の実施の形態１に係る描画システムにおける、ペン型入力器２００の使用を説明する説明図である。
【０１３７】
例えば、ユーザがペン型入力器２００を用いて電子ホワイトボード１００にて描画を行なっており、電子ホワイトボード１００には、赤であって太い目の線図が描画されているとする。この際、ペン型入力器２００側における筆圧変換テーブル及び色設定値等と、電子ホワイトボード１００側における筆圧変換テーブル及び色設定値等が同一化されている。
【０１３８】
一方、途中で、ユーザが電子ホワイトボード３００にて描画を行なうことにより、描画指示を施す対象となる装置が電子ホワイトボード１００から電子ホワイトボード３００に変更される場合が想定される。このような場合においても、図１４のフローチャートで説明したように、ペン型入力器２００側における筆圧変換テーブル及び色設定値等と、電子ホワイトボード３００側における筆圧変換テーブル及び色設定値等が同一化されてので、電子ホワイトボード３００には、赤であって太い目の線図が描画されることとなる。
【０１３９】
実施の形態１における、電子ホワイトボード１００の構成は、以上の記述内容に限るものでない。例えば、電子ホワイトボード１００がＰＣを備え、該ＰＣが、情報設定部１５と、描画部１６と、設定受付部１７と、調整指示部１８と、表示制御部１９と、位置指定判定部２０との機能をなすように構成しても良い。
【０１４０】
なお、上述した、座標検出部１２と、遮光物管理部１３と、情報統合部１４と、情報設定部１５と、描画部１６と、設定受付部１７と、調整指示部１８と、表示制御部１９と、位置指定判定部２０とは、ハードウェアロジックによって構成してもよいし、ＣＰＵ１１が所定のプログラムを実行することにより、ソフトウェア的に構築されてもよい。
【０１４１】
また、上述した、判定部２２１と、取得部２２２と、調整部２２３とは、ハードウェアロジックによって構成してもよいし、制御部２２０が所定のプログラムを実行することにより、ソフトウェア的に構築されてもよい。
【０１４２】
（実施の形態２）
図１６は本発明の実施の形態２に係るペン型入力器２００の要部構成を示す機能ブロック図であり、図１７は本発明の実施の形態２に係る電子ホワイトボード１００の要部構成を示す機能ブロック図である。
【０１４３】
実施の形態２に係る描画システムにおける、電子ホワイトボード１００及びペン型入力器２００は、実施の形態１と略同様の構成を有している。しかし、電子ホワイトボード１００は、近接無線通信部８を更に備えており、ペン型入力器２００は近接無線通信部２６０を更に備えている。
【０１４４】
近接無線通信部８及び近接無線通信部２６０は、近接無線（ＮＦＣ（ Near Field Communication ）、TransferJet（登録商標）等、数ｃｍ〜数十ｃｍの近い距離でのみ通信可能な無線方式を使用する。
【０１４５】
実施の形態２に係る描画システムにおいては、描画指示を施す対象となる装置を決定する際に、近接無線通信部８及び近接無線通信部２６０を用いる。説明の便宜上、ペン型入力器２００が描画指示を施す対象となる装置として電子ホワイトボード１００を決定する場合を例にあげて説明する。
【０１４６】
ペン型入力器２００と、電子ホワイトボード１００とが所定距離内に在り、近接無線通信部８及び近接無線通信部２６０の間の通信が可能になった場合は、近接無線通信部８が通信部５のＭＡＣアドレスを、近接無線通信部２６０に送信し、ペン型入力器２００では受信側（電子ホワイトボード１００の通信部５）のＭＡＣアドレスを取得できる。これによって、ペン型入力器２００が描画指示を施す対象となる装置として電子ホワイトボード１００が決定される。
【０１４７】
実施の形態１と同様の部分については、同一の符号を付して詳細な説明を省略する。
【符号の説明】
【０１４８】
１  制御部
５  通信部（受信部、受付設定送信部、識別データ送信部）
６  電波強度測定部
７  記憶部（第１記憶部、第２記憶部）
１１  ＣＰＵ
１５  情報設定部（設定部）
１６  描画部
１７  設定受付部（受付手段）
１８  調整指示部（指示手段）
１９  表示制御部（表示手段）
２０  位置指定判定部
１００、３００  電子ホワイトボード（表示装置）
１００Ｂ  タッチパネル部
１０１  被描画面
２００  ペン型入力器（描画器）
２１０  筆圧検知部
２２０  制御部
２２１  判定部
２２２  取得部
２２３  調整部
２３０  記憶部
２４０  姿勢検知部
２５０  通信部（送信部）
【図１】
2014102762.tif 000003
【図２】
2014102762.tif 000004
【図３】
2014102762.tif 000005
【図４】
2014102762.tif 000006
【図５】
2014102762.tif 000007
【図６】
2014102762.tif 000008
【図７】
2014102762.tif 000009
【図８】
2014102762.tif 000010
【図９】
2014102762.tif 000011
【図１０】
2014102762.tif 000012
【図１１】
2014102762.tif 000013
【図１２】
2014102762.tif 000014
【図１３】
2014102762.tif 000015
【図１４】
2014102762.tif 000016
【図１５】
2014102762.tif 000017
【図１６】
2014102762.tif 000018
【図１７】
2014102762.tif 000019